(57)【要約】【課題】  窓枠の全開口面積を覆うことができ、網戸の機能を妨げることなく虫の侵入を防ぐすだれやスクリーン等の吊下げ装置を提供する。【解決手段】  建物１の外壁面に開口する窓の外側に、スクリーン等の吊下げ物を吊下げる装置は、窓を構成する窓枠１０または該窓枠に近接して設けた周辺部材として化粧カバー２０が外壁面５ａから突出しており、窓枠１０または化粧カバー２０の上部にフック３０を外側に向けて突出状態に固定し、このフック３０にすだれ４０等の吊下げ物を支持させる。フック３０は、窓枠１０または化粧カバー２０を連結する締結手段であるタッピングビス２６に共締めされることが好ましい。フックを窓枠の化粧カバーやシャッター装置のガイドレールに固定してもよい。【選択図】  図６
2005218566.tif 000002
【特許請求の範囲】
【請求項１】
建物等の外壁面に開口する窓の外側に、スクリーン等の吊下げ物を吊下げる装置であって、前記窓を構成する窓枠または該窓枠に近接して設けた周辺部材は前記外壁面から突出しており、該窓枠または周辺部材にフックを外側に向けて突出状態に固定し、該フックに前記吊下げ物を支持させることを特徴とするスクリーン等の吊下げ装置。
【請求項２】
前記フックは、前記窓枠または周辺部材を連結する締結手段に共締めされることを特徴とする請求項１に記載のスクリーン等の吊下げ装置。
【請求項３】
前記周辺部材は、窓枠の化粧カバーまたはシャッター用のガイドレールであることを特徴とする請求項１または２に記載のスクリーン等の吊下げ装置。
【請求項４】
前記フックを、前記窓枠または周辺部材の下部にも固定したことを特徴とする請求項１〜３のいずれかに記載のスクリーン等の吊下げ装置。
【発明の詳細な説明】
【技術分野】
【０００１】
本発明は、建物等の窓や入口等の開口に、すだれやスクリーン等を吊下げる装置に係り、特に、網戸をずらすことなく窓等の開口の全面をスクリーン等で覆うことができ、網戸と共用して虫等の侵入を防止できるスクリーン等の吊下げ装置に関する。
【背景技術】
【０００２】
従来、この種のスクリーン等の吊下げ装置として、特許文献１に記載の日除け支持具がある。この日除け支持具は、固定腕と屈曲腕とから成り、固定腕の一端に取付部を設けると共に、他端に屈曲腕の一端をヒンジにより回動自在に接続し、両腕の接続側の先端に、両腕の長さ方向が一直線になると回動が止まる回動規制部と、一直線状態を保持する係合部とを設け、屈曲腕の他端に紐係止部を設けて、両腕の一直線状態の長さを、紐係止部の位置が、窓の上枠に取付けられる日除け吊り具の先端より外側に突出するように設定している。
【０００３】
また、従来のすだれ等のハンガーは、アルミサッシの網戸を取付けるレール部分にフックを固定し、このフックにすだれ等を吊下げている。フックはアルミサッシの上枠の、下方に開口しているレール部分の溝に取付片を挿入し、溝の外側から固定ねじを締めこんでレールを構成するアルミ壁を挟んで固定している。
【０００４】
【特許文献１】実公平７−１５５１２号公報（段落［０００７］参照）
【発明の開示】
【発明が解決しようとする課題】
【０００５】
ところで、前記特許文献１に記載の日除け支持具および前記ハンガーは、基本的にアルミサッシ等の窓枠の網戸を取付けるレール部分に吊り具やフックを固定するため、窓枠の半分の面積を占める網戸が装着されていると、網戸が位置しているために吊り具やフックを固定することができず、日除け等を窓枠の半分の面積しか吊下げることができなかった。また、窓枠の全面積を覆うようにするためには網戸をずらして吊り具やフックを固定する必要があり、網戸の隙間から虫等が侵入する虞があった。
【０００６】
本発明は、このような問題に鑑みてなされたものであって、その目的とするところは、網戸と共用してすだれやスクリーンを窓枠の全開口面積を覆うように吊下げることができ、虫等が侵入することのないスクリーン等の吊下げ装置を提供することにある。また、構成が簡単で、装着が容易であるスクリーン等の吊下げ装置を提供することにある。
【課題を解決するための手段】
【０００７】
前記目的を達成すべく、本発明に係るスクリーン等の吊下げ装置は、建物等の外壁面に開口する窓の外側に、スクリーン等の吊下げ物を吊下げる装置で、窓を構成する窓枠または窓枠に近接して設けた周辺部材は外壁面から突出しており、該窓枠または周辺部材にフックを外側に向けて突出状態に固定し、このフックにすだれやスクリーン等の吊下げ物を支持させることを特徴とする。窓枠や、窓枠に近接して位置する化粧カバーあるいはシャッター装置等の周辺部材から突出してフックを固定し、このフックを用いて吊下げ物を窓枠等の外側に吊下げるものである。
【０００８】
前記のごとく構成された本発明のスクリーン等の吊下げ装置は、アルミサッシ等の窓枠の外側にフック等の吊り具を固定し、このフックを用いてすだれ等のスクリーンを支持して吊下げるため、窓枠の全開口面積を吊下げられたスクリーン等で覆うことができる。ま
た、フックの固定に網戸のレール部分を使用しないので、網戸をずらすことがなく、虫等の侵入を確実に防止することができる。フックの固定手段としてはビスやタッピングビス、リベット、ブラインドリベット等を使用することができる。
【０００９】
また、本発明に係るスクリーン等の吊下げ装置の好ましい具体的な態様としては、前記フックは、窓枠または周辺部材を連結するタッピングビス等の締結手段に共締めされることを特徴としている。アルミサッシ等の窓枠は、通常上下の水平部材と左右の垂直部材とを組み合わせて構成され、水平部材の外側に垂直部材を位置させ、水平方向にタッピングビス（締結手段）をねじ込んで組み立てている。この態様では、上部の水平部材を連結しているタッピングビスを外し垂直部材の外側にフックを対接させ、このタッピングビスを用いて共締めするものである。この構成では、使用されているタッピングビス等を外してフックを固定できるため構成を簡単にでき、フックの固定が容易に行える。
【００１０】
さらに、本発明に係るスクリーン等の吊下げ装置の好ましい具体的な他の態様としては、前記周辺部材は、窓枠の化粧カバーまたはシャッター用のガイドレールであることを特徴としている。この構成によれば、化粧カバーやシャッターのガイドレールの外側にフックを容易に固定でき、このフックを用いてスクリーン等の吊下げ物を吊下げる構成であり、スクリーン等で窓枠の全開口面積を覆うことができるとともに、網戸の機能を妨げることはない。
【００１１】
前記フックを、窓枠または周辺部材の下部にも固定すると好適である。この構成によれば、すだれ等のスクリーンを窓枠の外側に吊下げたときに、スクリーンの下方部分を下部に固定したフックで固定できるため、スクリーンが風等で揺れるのを防止でき、安定した状態で吊下げることができる。
【発明の効果】
【００１２】
本発明の係るスクリーン等の吊下げ装置によれば、窓枠の全開口面積をスクリーン等で覆うことができる。また、窓枠に網戸を装着した場合でも、網戸をずらすことなく全開口面積を覆うことができるため、網戸の機能を損なうことがなく、虫等の侵入を防止できる。さらに、フックの固定が容易で、安定してスクリーン等を吊下げできる。
【発明を実施するための最良の形態】
【００１３】
以下、本発明に係るスクリーン等の吊下げ装置の一実施形態を図面に基づき詳細に説明する。図１は、本実施形態に係るスクリーン等の吊下げ装置を適用する窓枠と化粧カバーの垂直方向断面図、図２は、図１の化粧カバーを外した状態の水平方向断面図、図３は、図１，２の化粧カバーとフックとの固定状態を示す要部分解斜視図、図４は窓枠と化粧カバー部分を示す正面図、側面図および水平方向断面図である。
【００１４】
図１〜４において、本実施形態に係るスクリーン等の吊下げ装置を取付ける窓枠１０は、建物等の外壁面に開口する窓の周囲に固定されている。建物１は一例として、柱（図示せず）や間柱２，２間に、所定の間隔を空けて水平に固定された窓台３とまぐさ４とにより開口が形成され、室外側に外壁材５が固定され、室内側に石膏ボード等の内壁材６が固定されている。
【００１５】
窓枠１０は例えばアルミサッシで構成され、アルミニウムの押出し材からなる上部材１１、下部材１２を左右の縦部材１３，１４で連結して、正面形状が矩形となるように形成される。上下左右の部材の連結はタッピングビス１５等の締結手段で行われ、縦部材の上下端部近傍より水平方向にタッピングビスをねじ込んで連結される。窓枠１０は窓台３とまぐさ４との間に止めねじ等で固定される。窓枠１０自体は、通常、外壁材５の外壁面５ａから突出した状態で取付けられる。窓枠１０内には、引き違いの窓１６，１６、網戸１７が装着され、網戸１７は窓枠開口面積の約半分を占めている。
【００１６】
本実施形態では、この窓枠１０は外壁材５の外側にアルミ材で形成された化粧カバー２０を備えている。化粧カバーは窓枠１０に沿って固定される上部材２１、下部材２２および左右の縦部材２３，２４を備えており、これらの４つの部材がコーナー部材２５を介してタッピングビス（締結手段）２６で連結固定され、窓枠１０に係止爪２０ａおよびリベット２７で固定される。このように、化粧カバー２０は４つの部材２１〜２４がコーナー部材２５を介して、タッピングビスをコーナー部材の取付孔２３ａに水平方向にねじ込んで連結固定されている。スクリーン等を吊下げるフック３０は、この水平方向にねじ込まれるタッピングビス２６の内の上方角部に位置するものを外し、フックの貫通孔を通して共締めされ固定される。
【００１７】
フック３０はアルミニウムの鋳物で形成することが好ましく、化粧カバー２０に固定される基部３１からアーム部３２が延出しており、基部には固定用の貫通孔３１ａが形成されている。そして、アーム部の下方には、すだれやスクリーンの竿を支持する引掛け部として円形の支持孔３３が形成されている。アーム部３２と支持孔３３とが化粧カバー２０から外側（前方側）に突出し、縦部材２３，２４の立上り面と基部３１とが対接した状態でフック３０は固定される。このようにフック３０は化粧カバー２０の外側に固定され、前方側に突出して、すだれ等を吊下げるときに窓枠１０の全幅にわたって吊下げることができるように構成される。
【００１８】
窓枠１０や化粧カバー２０等に固定されるフックは、前記の形態に限られるものでなく、図５に示されるフックを使用してもよい。図５ａに示されるフック３５は、基部３５ａから延出するアーム部３５ｂは上方に開口している引掛け部を有しており、上方開口を覆って竿等の脱出を防止するカバー片３５ｃを備えている。図５ｂに示されるフック３６は、金属丸棒を潰した基部３６ａと、基部から延出する湾曲した引掛け部３６ｂとを備えている。図５ｃに示されるフック３７は、基部３７ａ内にバネで左方に付勢された押出し片３７ｂを備えて引掛け部３７ｃの開口を塞いでいる。このようにスクリーン等を吊下げ支持するフックは、適宜の形態のものを使用することができる。
【００１９】
前記の如く構成された本実施形態のスクリーン等の吊下げ装置の動作について、図１〜４および図６を参照して説明する。吊下げ装置のフック３０を窓枠周辺の化粧カバー２０に固定するときは、化粧カバー２０の上部材２１と縦部材２３，２４とを連結固定するタッピングビス２６を緩めて取外す。そして、化粧カバー２０の縦部材２３，２４の外側にフック３０を対接させ、フックの貫通孔３１ａにタッピングビス２６を通してから再度化粧カバー２０の取付孔２３ａにねじ込む。これにより２つのフック３０，３０は化粧カバー２０の上部の両外側に共締めされて固定される。フック３０の基部の厚さが大きく、タッピングビス２６の長さが足らない場合は、より長い別のタッピングビスを使用すると好ましい。
【００２０】
２つのフック３０，３０は化粧カバー２０の水平方向の幅より外側に固定されており、このフック３０を用いて例えばすだれ４０を吊り下げるときには、図６に示すように、すだれの上部の竿４１をフック３０の支持孔に通して吊下げると、下端の重しとしての竿４２の自重で降下する。すだれ４０は化粧カバー２０の前方に位置しており、窓枠１０に装着された開口面積の半分を占める網戸１７とは干渉しない位置に吊下げられるため、網戸１７を開けたり、ずらしたりせずに吊下げることができ、虫等が侵入することを確実に防止することができる。また、すだれ４０は窓枠１０の全幅にかけることができ、日除け等の機能を窓枠全体で達成させることができる。
【００２１】
なお、竿４１をフック３０，３０に支持させるとき、紐等で縛って支持させてもよい。
すだれ４０は下端まで下げずに、日差しに合わせて途中で止めてもよい。この場合は、図示していない紐等で途中まで巻かれた状態で止めるようにしてもよい。フックは鋳物に限らず、板金加工された金属板製、あるいは繊維強化プラスチック（ＦＲＰ）等で形成してもよく、適宜の材質で形成できる。
【００２２】
この実施形態では窓枠としてのアルミサッシ１０の室外側に化粧カバー２０を有する例について説明したが、図示していないが、アルミサッシ等の窓枠自体が外壁面５ａから室外側へ突出する窓枠１０では、アルミサッシの上下部材１１，１２と左右の縦部材１３，１４とを連結して固定するタッピングビス１５等の締結手段を用いて、フックを窓枠１０に固定するように構成してもよいのは勿論である。タッピングビスは水平方向にねじ込む例を示したが、垂直方向のビスを使用してもよく、フックの基部を窓枠のコーナー部に係合するように直角に折り曲げ、上部の水平方向に延出する部分を垂直方向にねじ込む締結手段で固定するようにしてもよい。
【００２３】
本発明の他の実施形態を図７〜９に基づき詳細に説明する。図７は本発明に係る吊下げ装置の他の実施形態の水平方向の要部断面図、図８は、その要部を示す斜視図、図９は吊下げ状態を示す側面図である。なお、この実施形態は前記した実施形態に対し、窓枠の外側にシャッター装置が装着され、フック等の吊り具をシャッター装置のガイドレールあるいはガイドレールのベース等に固定することを特徴とする。そして、他の実質的に同等の構成については同じ符号を付して詳細な説明は省略する。
【００２４】
図７〜９において、外壁材５の外壁面の開口に取付られた窓枠１０を覆うようにシャッター装置５０が装着されており、シャッター装置５０は窓枠部材の機能性部品として周辺部材を構成する。すなわち、窓枠１０の室外側上部にシャッター５１を収容するボックス５２が固定され、窓枠の縦部材の外側に平行にガイドレール５３が固定されており、ボックス５２内のリール５２ａに巻き取られたシャッター５１がガイドレール５３に沿って下降し、窓枠開口を覆うように構成されている。このガイドレール５３は、例えば窓枠１０に連結固定され、あるいは外壁材５にねじ止めにより固定され、外壁面５ａから突出している。
【００２５】
この実施形態においては、スクリーン等を吊下げるフック３８は、ガイドレール５３あるいはガイドレールのベース５３ａに固定される。すなわち、ガイドレールの上端近傍のボックス５２の下方に貫通孔を形成し、この貫通孔に固定手段として例えばブラインドリベット５４を用いてフック３８を挟んで固定する。このように、この実施形態の吊下げ装置では網戸１７を装着するレール部分と関係なく、ガイドレール５３部分にフック３８を容易に後付けすることができる。なお、フック３８は貫通孔でなくねじ孔を穿設して止めねじで固定でき、貫通孔にタッピングビスをねじ込んで固定してもよく、他の締結手段により固定してもよい。
【００２６】
前記した実施形態では、窓枠１０あるいは窓枠に近接して固定されたガイドレール５３等の周辺部材の上部にフック３０あるいはフック３８を固定する例について述べたが、図１０に示すように下部フック３９を窓枠１０の下部あるいは周辺部材として化粧カバー２０の下部にも固定し、上下のフック３０，３９によりすだれ４０等を支持するようにしてもよい。このように構成すると、すだれ４０やスクリーンは下端の竿４２が下部のフック３９に紐等で支持され、風等により煽られることが防止され、安定した状態で吊下げることができる。
【００２７】
この実施形態においても、すだれ４０や日除け等のスクリーンを窓枠１０の全幅にわたって吊下げることができるため、日除け等が部分的になることを防止できる。また、網戸との共用が可能で、フックを固定するために網戸をずらすことや、移動させる必要がなく、虫等の侵入を確実に防止することができる。
【００２８】
図７〜９に示す実施形態では、フック３８を固定する窓枠周辺部材としてシャッター装置５０の例を示したが、フックをガイドレールや、ガイドレールのベース部に固定せずに上部のボックス部分に固定し、ボックス部分の前方側からスクリーンを吊下げるように支持してもよい。また、他の周辺部材として窓枠の庇を取り付け、この庇からスクリーン等を吊下げるように構成してもよい。
【００２９】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、開口は窓に限らず、出入口の開口にも、本発明の吊下げ装置を適用することができる。窓枠として引き違い戸の例を示したが、窓部分が旋回して開く例や、一部が上下に移動して開く例、嵌め殺し窓、ジャロジー窓等、適宜の窓に使用することができる。
【産業上の利用可能性】
【００３０】
本発明の活用例として、窓枠や化粧カバー等に固定したフックを用いて物干し竿を支持することができ、この物干し竿を利用することによって洗濯物を吊下げることができ、洗濯物の乾燥等の用途にも適用できる。
【図面の簡単な説明】
【００３１】
【図１】本発明に係る吊下げ装置の一実施形態を適用する窓枠と化粧カバーの垂直方向断面図。
【図２】図１の化粧カバーを外した状態の水平方向断面図。
【図３】図１，２の化粧カバーとフックとの固定状態を示す要部分解斜視図。
【図４】（ａ）は図１の窓枠と化粧カバー部分を示す正面図、（ｂ）は側面図、（ｃ）は水平方向断面図。
【図５】それぞれフックの他の例を示す正面図。
【図６】（ａ）はすだれを吊下げた状態の正面図、（ｂ）は側面図、（ｃ）は水平方向断面図。
【図７】本発明に係る吊下げ装置の他の実施形態を示す水平方向の要部断面図。
【図８】図７のガイドレールとフックとの取付状態を示す要部斜視図。
【図９】図７，８のすだれを吊下げた状態の側面図。
【図１０】吊下げ装置のさらに他の実施形態のすだれを吊下げた状態の側面図。
【符号の説明】
【００３２】
１：建物、５ａ：外壁面、１０：窓枠（アルミサッシ）、１１〜１４：窓枠部材、１５：タッピングビス（締結手段）、１７：網戸、２０：化粧カバー（周辺部材）、２１：上部材、２２：下部材、２３，２４：縦部材、２６：タッピングビス（締結手段）、３０，３５〜３９：フック（吊り具）、３３：支持孔（引掛け部）、４０：すだれ（スクリーン等の吊下げ物）、５０：シャッター装置、５１：シャッター、５２：ボックス、５３：ガイドレール、５４：ブラインドリベット（固定手段）
【図１】
2005218566.tif 000003
【図２】
2005218566.tif 000004
【図３】
2005218566.tif 000005
【図４】
2005218566.tif 000006
【図５】
2005218566.tif 000007
【図６】
2005218566.tif 000008
【図７】
2005218566.tif 000009
【図８】
2005218566.tif 000010
【図９】
2005218566.tif 000011
【図１０】
2005218566.tif 000012